(57)【要約】      （修正有）【課題】複数の模造体が乗る複数のスペースを設け、解答者が模造体を取り去るスペースを特定することで正誤判断が機能する知育装置において、複数のスペースを設ける必要があることから装置の占有面積が拡大してしまう懸念がある。【解決手段】知育装置１に１つのスペース６と複数の模造体７を設け、複数の模造体７の中から解答として選択する模造体７を前記スペース６に乗せる様にする。前記スペース６に複数の光センサー８を設け、各々の光センサー８の反応により各々の光センサー８と対応関係にあるトランジスタスイッチを動作させる様にすることにより知育装置１の小型化をはかる。【選択図】図２
2008176254.tif 000002
【特許請求の範囲】
【請求項１】
（イ）  知育装置（１）に正解を伝えるチャイム音回路（２）を設け、不正解を伝えるブザー（３）を設ける。
（ロ）  前記知育装置（１）に正解を伝える前記チャイム音回路（２）と不正解を伝える前記ブザー（３）の動作電圧の供給の選択を担う、質問者が操作する複数の第１スイッチ（４）を設ける。
（ハ）  前記知育装置（１）内の基板に各々の前記第１スイッチ（４）と連結するトランジスタスイッチ（５）を設ける。
（ニ）  前記知育装置（１）に１つのスペース（６）を設ける。
（ホ）  複数の模造体（７）を設け、複数の模造体（７）の中から解答として選択する模造体（７）を前記スペース（６）に乗せる様にする。
（ヘ）  前記スペース（６）に複数の光センサー（８）を設け、各々の光センサー（８）の反応により各々の光センサー（８）と対応関係にある前記トランジスタスイッチ（５）を動作させる様にする。
（ト）  複数の前記模造体（７）の各々に位置の異なる１つの穴（９）を設け、前記模造体（７）を前記スペース（６）に乗せた際に、位置の異なる１つの穴（９）は複数の前記光センサー（８）の中の対応関係にある１つの前記光センサー（８）と対面する様にする。
（チ）  複数の前記第１スイッチ（４）と正解を伝える前記チャイム音回路（２）の連結を解除すると共に、複数の前記第１スイッチ（４）と不正解を伝える前記ブザー（３）の連結を解除する２回路対応型の第２スイッチ（１０）を設ける。
以上の様に構成した知育装置。
【請求項２】
前記スペース（６）に凹み（１１）を設け、複数の前記第１スイッチ（４）を凹み（１１）に配置すると共に、複数の前記模造体（７）に関する基本情報を備え、且つ、着脱可能なパネル（１９）を蓋（１３）の部位に配置することで前記知育装置（１）の小型化の促進を図る様にした、請求項１に記載の知育装置。
【請求項３】
前記知育装置（１）に２回路対応型の複数の前記第１スイッチ（４）を設け、各々の前記第１スイッチ（４）を操作して接点を切り替えることで連結するＬＥＤ点灯回路（１６）を付加し、各々のＬＥＤ点灯回路（１６）により点灯するＬＥＤ（１７）を設け、複数の前記第１スイッチ（４）の付加回路側の全てと連結する第３スイッチ（１８）を設けることで解答者が選択する前記模造体（７）に対する正誤判断機能の他に正解を教える機能を付加した、請求項１に記載の知育装置。
【発明の詳細な説明】
【技術分野】
【０００１】  本発明は正誤判断機能を備えた知育装置に関するものである。
【背景技術】
【０００２】  正解を伝える音声回路と不正解を伝える音声回路を設け、正解を伝える音声回路と不正解を伝える音声回路の各々の動作電圧の供給の選択を担う、質問者が操作する複数の第１スイッチを設け、各々の第１スイッチと連結する第２スイッチを設け、第２スイッチは解答者が正解と思う模造体をスペースから取り去る行為により動作して第１スイッチに動作電圧を供給する様にした知育装置には特開２００２−２４４５４１がある。
【発明が解決しようとする課題】
【０００３】  特開２００２−２４４５４１のものは複数の模造体が乗る複数のスペースを設け、解答者が模造体を取り去るスペースを特定することで正誤判断が機能する知育装置である。この知育装置は複数のスペースを設ける必要があることから装置の占有面積が拡大してしまう懸念がある。本発明はこの様な第１スイッチと第２スイッチの連結により正誤判断が機能する知育装置の小型化を図るものである。
【課題を解決するための手段】
【０００４】（イ）  知育装置１に正解を伝えるチャイム音回路２を設け、不正解を伝えるブザー３を設ける。
（ロ）  前記知育装置１に正解を伝える前記チャイム音回路２と不正解を伝える前記ブザー３の動作電圧の供給の選択を担う、質問者が操作する複数の第１スイッチ４を設ける。
（ハ）  前記知育装置１内の基板に各々の前記第１スイッチ４と連結するトランジスタスイッチ５を設ける。
（ニ）  前記知育装置１に１つのスペース６を設ける。
（ホ）  複数の模造体７を設け、複数の模造体７の中から解答として選択する模造体７を前記スペース６に乗せる様にする。
（ヘ）  前記スペース６に複数の光センサー８を設け、各々の光センサー８の反応により各々の光センサー８と対応関係にある前記トランジスタスイッチ５を動作させる様にする。
（ト）  複数の前記模造体７の各々に位置の異なる１つの穴９を設け、前記模造体７を前記スペース６に乗せた際に、位置の異なる１つの穴９は複数の前記光センサー８の中の対応関係にある１つの前記光センサー８と対面する様にする。
（チ）  複数の前記第１スイッチ４と正解を伝える前記チャイム音回路２の連結を解除すると共に、複数の前記第１スイッチ４と不正解を伝える前記ブザー３の連結を解除する２回路対応型の第２スイッチ１０を設ける。
以上の様に構成する。
【発明を実施するための最良の形態】
【０００５】  質問者は模造体７に関する質問をし、正解となる第１スイッチ４を操作し、学習者は解答として選択する模造体７を１つのスペース６に乗せ、正解を伝えるチャイム音回路２と不正解を伝えるブザー３の各々の動作電圧の供給の選択によりスペース６上の模造体７に対して正誤判断を行う知育装置１である。なお、チャイム音回路２は信号増幅回路とスピーカー部を含むものである。
質問者は多くの模造体７の中から質問の対象となる複数の模造体７を選出するが、図１においては模造体７をボード上に立体的に造作したものとし、又、模造体７の数を４個と決定している。説明上から選出する模造体７を犬、猫、兎、鳥と仮定するが、各々の模造体７には位置の異なる１つの穴９を設けると共に、基本的な情報である名称を添付する他、名称に隣接させて犬には１、猫には２、兎には３、鳥には４の番号を付与する。又、図１に示す様に名称をひらがな（カタカナ）表示にして学習者の対象範囲を拡大する様にする。なお、図１に示すものは平面図であるために模造体７を上方向から臨んでいるが、知育装置１は平置きて使用するものであり、実際には模造体７を主に横方向から観察する様になる。
又、図２に示す様に正解を導くために必要な第１スイッチ４の数は４個となるが、第１スイッチ４に説明上から表記（実際は表示無し）される１、２、３、４の番号を割り振ると共に、図１の事例に基づき１には犬、２には猫、３には兎、４には鳥を対応させる。この様に複数の模造体７を選出することで初期設定は完了するが、その後、質問者は知育装置１の電源を入れ、質問を行うと共に、正解となる第１スイッチ４の操作を行う様にする。その後において例えば図２に示す様に解答として選択した鳥の模造体７がスペース６に乗せられ様とする状況に至り、模造体７をスペース６の周囲に設ける枠１２内に収める手段により乗せることになる。又、模造体７はスペース６に乗せたり、取り去ったりできるため、解答として選択する模造体７の数が複数あるものと思った場合は、正誤判断後の模造体７をスペース６から取り去り、続く模造体７をスペース６に乗せることで複数の模造体７に対して正誤判断が行われる。
図３に示す様に例えば正解が猫であるならば番号２の第１スイッチ４を操作して接点を切り替えておく。接点の切り替えにより番号２の第１スイッチ４と正解を伝えるチャイム音回路２が連結していることが理解できる。その後、質問に対して解答者は解答として選択する模造体７をスペース６に乗せることになる。又、スペース６に複数の光センサー８を設け、各々の光センサー８が複数の模造体７の各々に設ける位置の異なる１つの穴９に対応することになる。つまり、解答者が選択する模造体７をスペース６に乗せた際に、その模造体７が有する穴９は対応関係にある１つの光センサー８と対面することになる。そして、穴９を通過する光を受光した光センサー８の反応によりこの光センサー８と対応関係にあるトランジスタスイッチ５を動作させることになる。そして、トランジスタスイッチ５の動作によりこのトランジスタスイッチ５と連結する第１スイッチ４に動作電圧を供給することになる。動作電圧が供給される第１スイッチ４が質問者により操作された第１スイッチ４である場合はこの第１スイッチ４とチャイム音回路２が連結し、又、電圧供給される第１スイッチ４が接点切り替えが行われない第１スイッチ４である場合はこの第１スイッチ４とブザー３が連結することになる。但し、第１スイッチ４とチャイム音回路２の連結を解除すると共に、第１スイッチ４とブザー３の連結を解除する第２スイッチ１０が設置されているためにチャイム音回路２又は、ブザー３には動作電圧は供給されない。つまり、解答者が第２スイッチ１０を操作して導通させることでチャイム音回路２又は、ブザー３に動作電圧が供給され、正解又は、不正解が伝えられることになる。ちなみに、図３においては解答者が図２の事例に基づき鳥の模造体７を選択することで鳥の模造体７が有する穴９と対応関係にある１つの光センサー８が反応し、この光センサー８と対応関係にあるトランジスタスイッチ５を動作させ、このトランジスタスイッチ５と連結し、鳥の模造体７と対応している番号４の第１スイッチ４に動作電圧を供給することになる。図３においては質問者は番号４の第１スイッチ４の操作を行ってはいないため、番号４の第１スイッチ４とブザー３が連結し、この連結を解除する第２スイッチ１０を操作することで連結状態にし、ブザー３を動作させて不正解を伝えることになる。
以上、模造体７が乗る１つのスペース６の構成により正誤判断機能が達成できることで知育装置１の小型化が可能になる。
【実施例】
【０００６】  併せて、スペース６に凹み１１を設け、複数の第１スイッチ４を凹み１１に配置することで知育装置１の小型化の促進を図る様にする。
又、ブザー３はチャイム音回路２と同様に電子音化させる手段も可能である。
又、複数の第１スイッチ４を覆うための、蝶番により開閉する蓋１３を設け、蓋１３の閉鎖により第１スイッチ４の状況を覚られない様にする。なお、図２においては説明上から複数の第１スイッチ４が表記されているが、実際には第１スイッチ４は蓋１３により隠蔽されるものである。又、蓋１３面とスペース６面の段差を無くして模造体７とスペース６の密着性を高める様にする。
又、第１スイッチ４は操作することで接点の切り替えが持続し、再度操作することで接点の切り替えが解除するものを採用するが、プッシュ型の他にスライドスイッチ又は、トグルスイッチが代用できる。又、第２スイッチ１０はタクトスイッチの様に押している間のみ接点の切り替えが行えるものを採用する。
又、スペース６に切れ込み１４を設け、切れ込み１４範囲内の模造体７の部位に手を支持させてスペース６に乗る模造体７の排出を円滑に行える様にする。
なお、解答者が模造体７をスペース６に乗せる行為又は、解答者が第２スイッチ１０を操作する行為が困難である場合は質問者による代行が可能である。
又、質問の際に複数の模造体９は多くの模造体９から選出されるが、問題集冊子に沿って予め何群かに分類されたものの中の１組として模造体９を選出することで出題における正確性と能率性を高める様にする。なお、問題集冊子は正解集冊子を別冊にすることで問題集冊子を絵本の様に仕立てて質問者と解答者が一緒になって閲覧する手段も可能である。
又、鳥の体を支える細い足は補強する必要があることから図１と図２に示す様に足の周囲を充填する透明な樹脂体１５を設ける。透明な樹脂体１５は角や尻尾、その他様々の突起物による接触を回避する場合にも活用することができる。
又、図２においては第１スイッチ４を活用することで正解を教える機能を付加させている。知育装置１に２回路対応型の第１スイッチ４を設け、各々の第１スイッチ４を操作して接点を切り替えることで連結するＬＥＤ点灯回路１６を付加回路として設け、各々のＬＥＤ点灯回路１６により点灯するＬＥＤ１７を設け、複数の第１スイッチ４の付加回路側の全てと連結する第３スイッチ１８を設け、第３スイッチ１８を操作することで付加回路側の複数の第１スイッチ４に動作電圧を供給し、第１スイッチ４を操作して接点を切り替えることで連結するＬＥＤ点灯回路１６に動作電圧を供給し、対応するＬＥＤ１７の点灯により正解の模造体７を教えるものである。
つまり、第１スイッチ４を操作することで該当する第１スイッチ４と正解を伝えるチャイム音回路２が連結すると共に、該当する第１スイッチ４と対応するＬＥＤ点灯回路１６が連結することになる。又、ＬＥＤ点灯回路１６はＬＥＤ１７に直列に抵抗を入れる簡素な構成でも機能は達成できる。なお、図２に示す様にＬＥＤ１７に隣接する番号を付与することで模造体７に付与される番号と照合できる様にする。
又、ＬＥＤ１７はスペース６面以下に埋設配置することで模造体７とスペース６の密着性を高める様にする。
なお、模造体７をスペース６に乗せた状態で使用する第２スイッチ１０はスペース６外に設置する必要があるが、第３スイッチ１８の設置場所は特段に限定されるものでは無い。但し、学習者の使用の利便性を考慮して第２スイッチ１０との併用が円滑に行える箇所に第３スイッチ１８を設置すべきである。
なお、模造体７をスペース６に乗せない状況下において不用意に第２スイッチ１０に接触した場合でも音声回路が動作しない様に光センサーをスペース６に増設し、増設される光センサーが模造体７の不在を受光することで検知して音声回路の動作を未然に防止する様にする。
又、図４に示す様に例えば、犬、猫、兎、鳥の様に複数から成るイラスト画又は、付与番号を含む名称、或いはイラスト画と名称を複合してあしらうことで横長形状となる１枚のパネル１９を用意し、この様な模造体７に関する基本情報を備え、且つ、着脱可能な１枚のパネル１９を蓋１３の部位に配置するが、蓋１３を閉鎖状態にして蓋１３の表面にパネル１９を装着する他、蓋１３を開放状態にして蓋１３の裏面からパネル１９を装着する手段が考慮できる。又、問題集冊子に沿い、模造体７に基づいた多くのパネル１９を用意しておく。又、図４に示す様にイラスト画を例えば顔の部位を描写する等、模造体７の特徴を捉える表現により学習者が明瞭に判別できる様にする。なお、図４のものは第１スイッチ４が蓋１３により隠蔽されている実際の状況を示すものであり、図２に示される様な第１スイッチ４の表記は行われていない。
【発明の効果】
【０００７】（ａ）  特開２００２−２４４５４１のものは模造体の特定の他に第１スイッチと対応関係にあるスペースを特定する必要があるが、本発明のものは模造体７の特定により正誤判断が可能であり、模造体７内に模造体７を特定する穴９を設ける構成により特定の精度が高められると共に、知育装置１の小型化が図られる。
（ｂ）  質問者による第１スイッチ操作を解答者に覚られない様にする手段として、特開２００２−２４４５４１のものは第１スイッチの部位をワイヤレスリモコン化して解答者の視線を回避する事が考慮できるがコスト高の懸念がある。これに対して本発明のものは１つのスペース６構成の他、簡素な回路構成及び、乾電池電源により知育装置１の小型化が達成でき、これにより知育装置１をワイヤレスリモコンの様に持ち上げて行う適切な第１スイッチ４操作が可能である。
（ｃ）  複数の第１スイッチ４をスペース６内に配置すると共に、パネル１９を蓋１３の部位に配置することで知育装置１の小型化の促進を図ることができる。
（ｄ）  正解を教える機能を付加する構成により知育装置１としての価値は高まり、又、正解を即座に教えたい時や複数の正解がある場合にはこの付加機能を活用するメリットがある。
（ｅ）  第２スイッチ１０と第３スイッチ１８は押している間のみ接点の切り替えが行えるものを採用することで省電力効果と軽快感のある操作が可能である。
（ｆ）  模造体７を枠１２内に収める手段により模造体７が有する１つの穴９と光センサー８が正確な位置で対面することができる。
（ｇ）  パソコン学習の様にモニターを凝視する環境が無いため、これに起因する目の疲労感を伴うことが無い。
【図面の簡単な説明】
【図１】  複数の模造体７を示す平面図
【図２】  知育装置１と解答者が選択する模造体７例を示す平面図
【図３】  本発明のブロック回路図
【図４】  パネル１９を装着する蓋１３を示す平面図
【符号の説明】
１  知育装置            ２  チャイム音回路            ３  ブザー
４  第１スイッチ        ５  トランジスタスイッチ      ６  スペース
７  模造体              ８  光センサー                ９  穴
１０  第２スイッチ      １１  凹み                    １２  枠
１３  蓋                １４  切れ込み                １５  樹脂体
１６  ＬＥＤ点灯回路    １７  ＬＥＤ                  １８  第３スイッチ
１９  パネル
【図１】
2008176254.tif 000003
【図２】
2008176254.tif 000004
【図３】
2008176254.tif 000005
【図４】
2008176254.tif 000006